(57)【特許請求の範囲】
【請求項１】
６枚の表示シート（６）が順次折曲自在に連結されていて筒状に形成される筒形成部（３）を有する表示体本体（５）を備え、前記表示シート（６）の各外面には順次表示（１３）が施され、
前記筒形成部（３）は、２枚の表示シート（６）が底部に配置される底面部（１７）と、他の２枚の表示シート（６）が底面部（１７）の前端から起立される正面部（１８）と、残りの２枚の表示シート（６）が底面部（１７）の後端から起立される背面部（１９）とを備えるように、三角形の筒状に保形可能とされ、
正面部（１８）の表示シート（６）同士を略面一になる伸長状態に解除可能に保持する伸長保持手段（１４）が具備されていることを特徴とする卓上表示体。
【請求項２】
前記伸長保持手段（１４）は、正面部（１８）の表示シート（６）同士を略面一の伸長状態に引っ張るように筒形成部（３）内に内嵌される内嵌部材（１５）で構成されていることを特徴とする請求項１に記載の卓上表示体。
【請求項３】
前記伸長保持手段（１４）は、隣り合う表示シート（６）の境界部に設けた切起し片（３７）又は境界部に突設した突出片（４７）で構成され、切起し片（３７）又は突出片（４７）は隣り合う表示シート（６）を伸長状態に保持すべくその基端部で折曲自在とされていることを特徴とする請求項１に記載の卓上表示体。
【請求項４】
前記底面部（１７）を２つの表示シート（６）同士が上方に向けて逆Ｖ字状に折曲した状態に保持する底部保持手段（２９）が設けられていることを特徴とする請求項１〜３のいずれかに記載の卓上表示体。
【請求項５】
前記底部保持手段（２９）は、底面部（１７）の表示シート（６）同士が逆Ｖ字状に折曲すべく表示体本体（５）の下部を内嵌保持する筒状体（５１）で構成されていることを特徴とする請求項４に記載の卓上表示体。
【請求項６】
前記筒状体（５１）は、光透過性を有するシートにより前壁部（５７）と後壁部（５５）と左右一対の側壁部（５６）とを有する角筒状に形成されていることを特徴とする請求項５に記載の卓上表示体。
【請求項７】
前記前壁部（５７）の上部は、正面部（１８）の２枚の表示シート（６）の境界部よりも上方突出されて、正面部（１８）の表示シート（６）同士を伸長状態に保持する伸長保持手段（１４）とされていることを特徴とする請求項６に記載の卓上表示体。
【請求項８】
前記後壁部（５５）及び一対の側壁部（５６）の上部は、前壁部（５７）の上部に対応して正面部（１８）の２枚の表示シート（６）の境界部よりも上方突出され、後壁部（５５）の上部で背面部（１９）の表示シート（６）同士を伸長状態に保持するように構成されていることを特徴とする請求項６又は７に記載の卓上表示体。
【請求項９】
前記底部保持手段（２９）は、逆Ｖ字状の挟持溝（２６）を挟んで２股状に下方突出した一対の挟持部（２５）を具備してなり、底面部（１７）の表示シート（６）同士が挟持溝（２６）に沿って逆Ｖ字状に折曲すべく一対の挟持部（２５）で２つの表示シート（６）を挟むようにしたことを特徴とする請求項４に記載の卓上表示体。
【請求項１０】
前記底部保持手段（２９）は、１枚の厚紙で構成されて底面部（１７）の下側に配置される設置シート（４０）を具備し、この設置シート（４０）の前後両端部に切り起こした係止片５９（４１）が設けられ、前後の係止片５９（４１）間に表示体本体（５）の正面
部（１８）と背面部（１９）との下部を挟持させるようにしたことを特徴とする請求項４に記載の卓上表示体。
【請求項１１】
前記表示体本体（５）は、筒形成部（３）の終端の表示シート（６）に折曲自在に連結された端部シート（４）を有し、
端部シート（４）の外面に、終端の表示シート（６）の表示（１３）に続く表示（１３）が施されていることを特徴とする請求項１〜１０のいずれかに記載の卓上表示体。
【請求項１２】
前記表示体本体（５）は、１枚の厚紙により帯状に形成されており、筒形成部（３）が内外逆になるように裏返してもそれぞれ筒状になるように、筒形成部（３）の両端部が着脱自在に連結され、複数の表示シート（６）の表裏両面に表示（１３）がそれぞれ施され、各表示シート（６）間に山折りと谷折りとの両方に折るための折れ線が形成されていることを特徴とする請求項１〜１１のいずれかに記載の卓上表示体。
【請求項１３】
前記内嵌部材（１５）は、厚紙により表示体本体（５）とは別体に構成されており、筒形成部（３）内にその筒軸方向と直交する方向に配置される内嵌体（２１）を備えると共に、内嵌体（２１）の前部側又は後部側から折れ線（ｃ１）を介してそれぞれ折曲された折曲縁部（２３）を備え、内嵌体（２１）は、筒形成部（３）の正面部（１８）上部と背面部（１９）上部との間に嵌合される三角形の嵌合頂部（２４）と、正面部（１８）又は背面部（１９）の下部と逆Ｖ字状に折曲した底面部（１７）との間にそれぞれ嵌合される一対の挟持部（２５）とを有していることを特徴とする請求項２に記載の卓上表示体。
【請求項１４】
卓上表示体が卓上カレンダーであって、表示体本体（５）がカレンダー本体であり、表示（１３）が１ヶ月ごとのカレンダー表示であることを特徴とする請求項１〜１３のいずれかに記載の卓上表示体。
【発明の詳細な説明】
【技術分野】
【０００１】
本発明は、机等に設置して使用される卓上カレンダー等の卓上表示体に関するものである。
【背景技術】
【０００２】
例えば卓上表示体である卓上カレンダーには、６枚の表示シートが順次連結されて六角筒状に形成されると共に、内外逆になるように裏返しても六角筒状になるように構成されたカレンダー本体（表示体本体）を備え、このカレンダー本体をその筒軸方向が上下方向を向くように筒軸方向の一端部を設置するようにしたものがあり、表示シートの外面側に１月から６月までのカレンダー表示を施し、内面側に７月から１２月までのカレンダー表示を施し、１月から１２月までのカレンダー表示を見ることができるようにしたものがある（例えば特許文献１）。
【０００３】
また、他の従来の卓上カレンダーには、１枚の用紙の表裏に１２ヶ月分のカレンダー表示を印刷し、各月の間に折り筋を付け、折り方によって、連続する総ての２ヶ月のカレンダー表示の組み合わせを上下に表示できるようにしたカレンダー本体を構成し、このカレンダー本体を連続する２ヶ月のカレンダー表示が上下に並ぶようにスタンド用ケースで起立状に保持するようにしたものがある（例えば特許文献２）。
【先行技術文献】
【特許文献】
【０００４】
【特許文献１】実用新案登録第３１７５３８１号公報
【特許文献２】特開２００９−２９８１３１号公報
【発明の概要】
【発明が解決しようとする課題】
【０００５】
しかし、従来では、前者の場合、連続する２ヶ月分のカレンダー表示が１２０度の角度で互いに傾斜して左右に並んでおり、２ヶ月分が上下に連続するように並んでおらず、２ヶ月に跨ってカレンダー表示を見たい場合に、カレンダー表示が見づらかった。また、カレンダー本体は上部側と下部側とが同一の大きさであり、設置した際に、カレンダー本体の安定性が悪かった。
【０００６】
また、後者の場合、カレンダー本体を保持するためのスタンド用ケースが必要になり、卓上カレンダーの構成部材が多くなり、卓上カレンダー全体の製造が面倒で、製造費用が高く付くという問題があった。
本発明は上記問題点に鑑み、表示体本体を安定に設置できると共に、連続する表示を楽に見ることができ、しかも、構成部材が少なくて、製造容易でかつ安価に製造することができる卓上カレンダー等の卓上表示体を提供することを目的としている。
【課題を解決するための手段】
【０００７】
本発明における課題解決のための具体的手段は、次の通りである。
この技術的課題を解決する本発明の技術的手段は、６枚の表示シート６が順次折曲自在に連結されていて筒状に形成される筒形成部３を有する表示体本体５を備え、前記表示シート６の各外面には順次表示１３が施され、
前記筒形成部３は、２枚の表示シート６が底部に配置される底面部１７と、他の２枚の表示シート６が底面部１７の前端から起立される正面部１８と、残りの２枚の表示シート６が底面部１７の後端から起立される背面部１９とを備えるように、三角形の筒状に保形可能とされ、
正面部１８の表示シート６同士を略面一になる伸長状態に解除可能に保持する伸長保持手段１４が具備されている点にある。
【０００８】
また、本発明の他の技術的手段は、前記伸長保持手段１４は、正面部１８の表示シート６同士を略面一の伸長状態に引っ張るように筒形成部３内に内嵌される内嵌部材１５で構成されている点にある。
また、本発明の他の技術的手段は、前記伸長保持手段１４は、隣り合う表示シート６の
境界部に設けた切起し片３７又は境界部に突設した突出片４７で構成され、切起し片３７又は突出片４７は隣り合う表示シート６を伸長状態に保持すべくその基端部で折曲自在とされている点にある。
【０００９】
また、本発明の他の技術的手段は、前記底面部１７を２つの表示シート６同士が上方に向けて逆Ｖ字状に折曲した状態に保持する底部保持手段２９が設けられている点にある。
また、本発明の他の技術的手段は、前記底部保持手段２９は、底面部１７の表示シート６同士が逆Ｖ字状に折曲すべく表示体本体５の下部を内嵌保持する筒状体５１で構成されている点にある。
【００１０】
また、本発明の他の技術的手段は、前記筒状体５１は、光透過性を有するシートにより前壁部５７と後壁部５５と左右一対の側壁部５６とを有する角筒状に形成されている点にある。
また、本発明の他の技術的手段は、前記前壁部５７の上部は、正面部１８の２枚の表示シート６の境界部よりも上方突出されて、正面部１８の表示シート６同士を伸長状態に保持する伸長保持手段１４とされている点にある。
【００１１】
また、本発明の他の技術的手段は、前記後壁部５５及び一対の側壁部５６の上部は、前壁部５７の上部に対応して正面部１８の２枚の表示シート６の境界部よりも上方突出され、後壁部５５の上部で背面部１９の表示シート６同士を伸長状態に保持するように構成されている点にある。
また、本発明の他の技術的手段は、前記底部保持手段２９は、逆Ｖ字状の挟持溝２６を挟んで２股状に下方突出した一対の挟持部２５を具備してなり、底面部１７の表示シート６同士が挟持溝２６に沿って逆Ｖ字状に折曲すべく一対の挟持部２５で２つの表示シート６を挟むようにした点にある。
【００１２】
また、本発明の他の技術的手段は、前記底部保持手段２９は、１枚の厚紙で構成されて底面部１７の下側に配置される設置シート４０を具備し、この設置シート４０の前後両端部に切り起こした係止片４１が設けられ、前後の係止片４１間に表示体本体５の正面部１８と背面部１９との下部を挟持させるようにした点にある。
また、本発明の他の技術的手段は、前記表示体本体５は、筒形成部３の終端の表示シート６に折曲自在に連結された端部シート４を有し、
端部シート４の外面に、終端の表示シート６の表示１３に続く表示１３が施されている点にある。
【００１３】
また、本発明の他の技術的手段は、前記表示体本体５は、１枚の厚紙により帯状に形成されており、筒形成部３が内外逆になるように裏返してもそれぞれ筒状になるように、筒形成部３の両端部が着脱自在に連結され、複数の表示シート６の表裏両面に表示１３がそれぞれ施され、各表示シート６間に山折りと谷折りとの両方に折るための折れ線が形成されている点にある。
【００１４】
また、本発明の他の技術的手段は、前記内嵌部材１５は、厚紙により表示体本体５とは別体に構成されており、筒形成部３内にその筒軸方向と直交する方向に配置される内嵌体２１を備えると共に、内嵌体２１の前部側又は後部側から折れ線を介してそれぞれ折曲された折曲縁部２３を備え、内嵌体２１は、筒形成部３の正面部１８上部と背面部１９上部との間に嵌合される三角形の嵌合頂部２４と、正面部１８又は背面部１９の下部と逆Ｖ字状に折曲した底面部１７との間にそれぞれ嵌合される一対の挟持部２５とを有している点にある。
【００１５】
また、本発明の他の技術的手段は、卓上表示体が卓上カレンダーであって、表示体本体５がカレンダー本体であり、表示１３が１ヶ月ごとのカレンダー表示である点にある。
【発明の効果】
【００１６】
本発明によれば、卓上表示体を机の上等に設置した場合、正面部の２枚の表示シートに表示が上下に連続して表示されるため、２枚の表示シートの表示を略面一に上下に連続した状態で見ることが可能になり、非常に見やすくなり、便利である。また、卓上表示体を設置した際に、表示体本体は下方に向けて徐々に幅広になった状態になり、安定に設置することができる。しかも、表示体本体はそれのみで自立可能であるから、従来のように表
示体本体を保持するためのスタンド用ケースは不要になり、卓上表示体全体の構成部材が少なくなり、製造容易でかつ安価に製造することができる。
【図面の簡単な説明】
【００１７】
【図１】本発明の第１実施形態を示す卓上カレンダーの斜視図である。
【図２】同卓上カレンダーの１月の設置状態の正面図である。
【図３】同図２のＡ−Ａ線断面図である。
【図４】同卓上カレンダーの６月の設置状態の正面図である。
【図５】同図４のＢ−Ｂ線断面図である。
【図６】同卓上カレンダーの７月の設置状態の正面図である。
【図７】同図６のＣ−Ｃ線断面図である。
【図８】同カレンダー本体の展開状態の平面図である。
【図９】同カレンダー本体の展開状態の底面図である。
【図１０】同内嵌部材の展開状態の平面図である。
【図１１】第２実施形態を示すカレンダー本体の展開状態の平面図である。
【図１２】同端部シートを折曲した状態の要部の平面図である。
【図１３】第３実施形態を示す卓上カレンダーの側面断面図である。
【図１４】同カレンダー本体の展開状態の平面図である。
【図１５】同カレンダー本体の展開状態の底面図である。
【図１６】同設置シートの展開状態の平面図である。
【図１７】第４実施形態を示す卓上カレンダーの斜視図である。
【図１８】同卓上カレンダーの１月の設置状態の側面断面図である。
【図１９】同卓上カレンダーの６月の設置状態の側面断面図である。
【図２０】同卓上カレンダーの１１月の設置状態の側面断図である。
【図２１】同カレンダー本体の展開状態の平面図である。
【図２２】同カレンダー本体の展開状態の底面図である。
【図２３】同筒状体の展開状態の平面図である。
【発明を実施するための形態】
【００１８】
以下、本発明の実施の形態を図面に基づいて説明する。
図１〜図１０は本発明の第１実施形態を示している。図１〜図１０において、卓上表示体である卓上カレンダー１は、筒形成部３と端部シート４とを有するカレンダー本体（表示体本体）５を備え、筒形成部３は６枚の表示シート６を有している。
カレンダー本体５は、１枚の厚紙により帯状に形成されていて、筒形成部３と端部シート４とを一体に有し、筒形成部３は６枚の表示シート６が折れ線ａ１を介して順次折曲自在に連結されている。
【００１９】
６枚の表示シート６には、筒形成部３の一端部（始端）から他端部（終端）に向けて、第１表示シート６ａ〜第６表示シート６ｆがあり、各表示シート６（６ａ，６ｂ，６ｃ，６ｄ，６ｅ，６ｆ）間の折れ線ａ１は山折りと谷折りとの両方に折曲できるようになっている。筒形成部３の終端の第６表示シート６ｆに端部シート４が折れ線ａ２を介して折曲自在に連結され、この折れ線ａ２は山折りと谷折りとの両方に折曲できるようになっている。
【００２０】
筒形成部３の一端部（始端の第１表示シート６ａの端部）に複数（図例では３個）の係合片９が突設され、他端部（終端の第６表示シート６ｆと端部シート４との境界部に）に左右方向に長い係止孔１０が係合片９に対応して複数（図例では３個）設けられている。
各係合片９の基部に、折れ線ａ３と切込みｂ１とが左右方向に連続して設けられ、左右方向の一方側に折れ線ａ３が配置され、他端側に切込みｂ１が配置されている。各係合片９はそれぞれ対応する係止孔１０に対して切込みｂ１の長さ分だけ左右方向の切込みｂ１側にずれて配置されている。
【００２１】
而して、筒形成部３を筒状に巻回して、各係合片９を対応する係止孔１０にその基部まで挿入した後に、係合片９を係止孔１０に対して左右方向の切込みｂ１側にずらすことにより、係合片９の切込みｂ１が係止孔１０の縁部に差し込まれ、筒形成部３の両端部を着
脱自在に連結することができる。これによって、筒形成部３は６枚の表示シート６が順次折曲自在に連結されて筒状に形成され、筒形成部３を逆巻に筒状に巻回して、筒形成部３の両端部を連結することにより、筒形成部３が内外逆になるように裏返しても筒状に形成されるようになっている。
【００２２】
各表示シート６の外面（表面）に、第１表示シート６ａ〜第６表示シート６ｆに向けて１月〜６月までの６ヶ月のカレンダー表示１３が順次印刷されている。最終の表示シート６（第６表示シート６ｆ）を除く各表示シート６の内面（裏面）に、第５表示シート６ｅ〜第１表示シート６ａに向けて８月〜１２月までの５ヶ月のカレンダー表示１３が順次印刷されている。この８月〜１２月までの５ヶ月のカレンダー表示１３は、１月〜６月までの６ヶ月のカレンダー表示１３に対して上下逆向きに表示（配置）されている。
【００２３】
即ち、カレンダー本体５は、第１表示シート６ａ〜第６表示シート６ｆの外面にそれぞれ１月〜６月のカレンダー表示１３が順次施され、第１表示シート６ａ〜第５表示シート６ｅの内面にそれぞれ１２月〜８月のカレンダー表示１３が逆さに順次施されている。
端部シート４の外面（表面）に、７月のカレンダー表示１３が１月〜６月のカレンダー表示１３と同じ向きに印刷されている。また、図示省略しているが、端部シート４の内面（裏面）に、この卓上カレンダー１の取り扱いや広告等が表示されている。
【００２４】
筒形成部３は、後述する内嵌部材１５によって、２枚の表示シート６が底部に配置される底面部１７と、他の２枚の表示シート６が底面部１７の前端から起立される正面部１８と、残りの２枚の表示シート６が底面部１７の後端から起立される背面部１９とを備えるように、三角形の筒状に保形可能とされている。
卓上カレンダー１には、正面部１８の表示シート６同士を伸長状態に保持する伸長保持手段１４が具備されている。
【００２５】
前記伸長保持手段１４は、正面部１８の表示シート６同士を略面一の伸長状態に引っ張るように筒形成部３内に内嵌される内嵌部材１５で構成されている。
内嵌部材１５は、カレンダー本体５とは別体に一対具備されている。図１０に示すように、各内嵌部材１５は、厚紙により構成されており、筒形成部３内にその筒軸方向と直交する方向に配置される内嵌体２１を備えると共に、内嵌体２１の前部側又は後部側から折れ線ａ４を介してそれぞれ折曲された前後一対の折曲縁部２３を備えている。
【００２６】
内嵌体２１は、筒形成部３の正面部１８上部と背面部１９上部との間に嵌合される三角形の嵌合頂部２４と、正面部１８又は背面部１９の下部と逆Ｖ字状に折曲した底面部１７との間にそれぞれ嵌合される一対の挟持部２５とを有している。一対の挟持部２５は嵌合頂部２４の下部から逆Ｖ字状の挟持溝２６を挟んで２股状に下方突出されている。内嵌体２１の中央部に指掛孔２７が貫通形成されている。
【００２７】
なお、前記折れ線ａ１〜ａ４はプレスによる凹溝形成や半切り刃やミシン目、その他切込みと凹溝形成やミシン目との組み合わせ等により形成されている。
而して、筒形成部３は、１又は一対の内嵌部材１５を内嵌することにより三角形の筒状に保形され、正面部１８の表示シート６同士及び背面部１９の表示シート６同士がそれぞれ略面一になる伸長状態に解除可能に保持されている。また、内嵌部材１５を筒形成部３に対して筒軸廻りに回転させて内嵌することによって、正面部１８、背面部１９乃至底面部１７を構成する２つの表示シート６を１つずつ順次変更できるようになっている。
【００２８】
卓上カレンダー１には、前記底面部１７を２つの表示シート６同士が上方に向けて逆Ｖ字状に折曲した状態に保持する底部保持手段２９がカレンダー本体５とは別個に設けられている。
底部保持手段２９は、前記内嵌部材１５の一対の挟持部２５により構成されており、内嵌部材１５を筒状に保持すべく筒形成部３に内嵌した際に、底面部１７の表示シート６同士が挟持溝２６に沿って逆Ｖ字状に折曲され、この折曲状態に保持すべく一対の挟持部２５で２つの表示シート６を挟むようになっている。
【００２９】
第１表示シート６ａの第２表示シート６ｂ側端部の左右両側に、円弧状の切込みｂ２がそれぞれ設けられている。第６表示シート６ｆの第５表示シート６ｅ側端部の左右両側にも、同様に円弧状の切込みｂ２がそれぞれ設けられている。
端部シート４は第６表示シート６ｆからの突出長さが表示シート６の突出長さよりもやや短く形成され、端部シート４の外端部の左右両側に切欠部３１がそれぞれ設けられて、端部シート４の外端部の左右幅が短くなっており、筒形成部３を筒状に巻回して端部シート４を第１表示シート６ａに重合させた際に、端部シート４の外端部の左右両端部を第１表示シート６ａの切込みｂ２に差し込むことにより、端部シート４を第１表示シート６ａに重合状態に保持できるようになっている。また、端部シート４を折れ線ａ２で折曲して第６表示シート６ｆに重合させ際に、端部シート４の外端部の左右両端部を第６表示シート６ｆの切込みｂ２に差し込むことにより、端部シート４を第６表示シート６ｆに重合状態に保持できるようになっている。
【００３０】
前記第１実施形態によれば、卓上カレンダー１を机等に設置する場合、まず、１月になると、図１及び図３に示すように、カレンダー本体５の筒形成部３を１月のカレンダー表示１３がある側が外面になるように筒状に巻回し、第１表示シート６ａを端部シート４の外面に配置して、筒形成部３の両端部を係合片９と係止孔１０とで着脱自在に連結する。この際に、端部シート４の外端部の左右両端部を第１表示シート６ａの切込みｂ２に差し込む。これにより、端部シート４がぶらつかないように第１表示シート６ａに重合状態に保持しておく。
【００３１】
その後、１月のカレンダー表示１３が正面部１８の上側になり、２月のカレンダー表示１３が正面部１８の下側になるように、筒形成部３を底面部１７と正面部１８と背面部１９とを有する三角形の筒状にする。
次に、内嵌部材１５の前後の折曲縁部２３を内嵌体２１に対して折曲し、この状態で一対の内嵌部材１５を、三角形の筒状になった筒形成部３内にその左右方向の両側からそれぞれ内嵌し、筒形成部３内にその筒軸方向と直交する方向に内嵌体２１を配置すると共に、前後の折曲縁部２３を正面部１８又は背面部１９にそれぞれ添わせ、内嵌体２１の嵌合頂部２４を筒形成部３の正面部１８上部と背面部１９上部との間に嵌合し、一対の挟持部２５を正面部１８又は背面部１９の下部と逆Ｖ字状に折曲した底面部１７との間にそれぞれ嵌合する。これにより、正面部１８及び背面部１９の各２つの表示シート６をそれぞれ略面一に連続させ、カレンダー本体５を三角形の筒状に保形する。その後、カレンダー本体５をその底面部１７を下にして机等に設置する。
【００３２】
その後、２月〜５月になると、１ヶ月ごとに、内嵌部材１５を筒形成部３に対して筒軸廻りに回転させて内嵌し直すことによって、正面部１８、背面部１９乃至底面部１７を構成する２つの表示シート６を１つずつ順次変更して、カレンダー本体５をその底面部１７を下にして机等に設置すればよい。
また、６月になると、図４及び図５に示すように、カレンダー本体５の筒形成部３を６月のカレンダー表示１３がある側が外面になるように筒状に巻回し、端部シート４を第１表示シート６ａの外面に重合配置して、筒形成部３の両端部を係合片９と係止孔１０とで着脱自在に連結する。また、端部シート４の外端部の左右両側を第１表示シート６ａの切込みｂ２に差し込み、これにより、端部シート４がぶらつかないように固定しておく。
【００３３】
その後は、正面部１８の上側に第１表示シート６ａが位置し下側に端部シート４が位置するように、カレンダー本体５（筒形成部３）を一対の内嵌部材１５を使用して三角形の筒状に保形し、カレンダー本体５をその底面部１７を下にして机等に設置すればよく、６月になったときでも、正面部１８の外面の上下に６月のカレンダー表示１３と７月のカレンダー表示１３とが表れる。
【００３４】
また、７月になると、図６及び図７に示すように、カレンダー本体５の筒形成部３を８月のカレンダー表示１３がある側が外面になるように筒状に巻回し、端部シート４を第６表示シート６ｆの外面（カレンダー表示１３が施されていない面）に重合配置して、筒形成部３の両端部を係合片９と係止孔１０とで着脱自在に連結する。また、端部シート４の外端部の左右両側を第６表示シート６ｆの切込みｂ２に差し込み、これにより、端部シート４がぶらつかないように固定しておく。
【００３５】
その後は、正面部１８の上側に端部シート４が位置し下側に第５表示シート６ｅが位置するように、カレンダー本体５（筒形成部３）を一対の内嵌部材１５を使用して三角形の
筒状に保形し、カレンダー本体５をその底面部１７を下にして机等に設置すればよく、７月になったときでも、正面部１８の外面の上下に７月のカレンダー表示１３と８月のカレンダー表示１３とが表れる。
【００３６】
その後、８月〜１１月になると、１ヶ月ごとに、内嵌部材１５を筒形成部３に対して筒軸廻りに回転させて内嵌し直すことによって、正面部１８、背面部１９乃至底面部１７を構成する２つの表示シート６を１つずつ順次変更して、カレンダー本体５をその底面部１７を下にして机等に設置すればよい。
また、１２月になると、１１月のカレンダー本体５の設置状態のままして、正面部１８の外面の上下に１１月のカレンダー表示１３と１２月のカレンダー表示１３が表れるようにしておけばよい。
【００３７】
従って、卓上カレンダー１を机等に設置したとき、正面部１８はやや後上がりに傾斜した起立状態になって、正面部１８の上側の表示シート６と下側の表示シート６が略面一になって上下に連続した状態になり、正面部１８の外面の上下に今月のカレンダー表示１３と来月のカレンダー表示１３とが表れるため、２ヶ月に跨るカレンダー表示１３を略面一に上下に連続した状態で見ることが可能になり、カレンダー表示１３が非常に見やすくなり、便利である。
【００３８】
また、設置した卓上カレンダー１のカレンダー本体５は下方に向けて徐々に前後に幅広になった状態になり、机等に安定に設置することができる。しかも、カレンダー本体５はそれのみで自立可能であるから、従来のようにカレンダー本体５を保持するためのスタンド用ケースは不要になり、卓上カレンダー１全体の構成部材が少なくなり、製造容易でかつ安価に製造することができる。
【００３９】
しかも、６月や７月になったときでも、正面部１８の外面の上下に今月のカレンダー表示１３と来月のカレンダー表示１３が表れるので、１月〜１２月までの年間を通じて、２ヶ月に跨るカレンダー表示１３を略面一に上下に連続した状態で見ることが可能になる。
また、多数の卓上カレンダー１を保管したり運搬したりする場合には、端部シート４の内面側が上に位置するように、カレンダー本体５を折れ線ａ１，ａ２で折曲して折り畳んでおけばよく、カレンダー本体５をコンパクトに折り畳むことができるし、この際に端部シート４の内面側が上に位置するように折り畳むことによって、端部シート４によってカレンダー表示１３が汚れたりしないように保護することができ、保管や運搬等に便利である。また、端部シート４の内面の表示によって、この商品が卓上カレンダー１であることを認識させたり、広告や宣伝に使用したりすることができる。
【００４０】
なお、前記第１実施形態の場合、第６表示シート６ｆの裏面には、カレンダー表示１３を施していないが、これに代え、第６表示シート６ｆの裏面に来年の１月のカレンダー表示１３を施すようにしてもよく、このようにすれば、１２月になったときでも、正面部１８の上側に１２月（今月）のカレンダー表示１３が表れ、下側に来年の１月（来月）のカレンダー表示１３が表れるようにすることができる。
【００４１】
図１１及び図１２は第２実施形態を示し、筒形成部３の一端部に複数（図例では２個）の係合片９が折れ線ａ３を介して突設され、他端部（終端の第６表示シート６ｆと端部シート４との境界部に）に係止孔１０が係合片９に対応して複数個設けられ、各係合片９の一端部に折れ線ａ６を介して抜止部３５が突設されており、抜止部３５はその基部から係合片９に対して折れ線ａ６で２つ折りに折曲自在とされている。
【００４２】
而して、抜止部３５を係合片９に対して２つ折りに折曲して、係合片９及び抜止部３５を係止孔１０に挿入した後に、抜止部３５を伸長させることにより、係合片９が係止孔１０から抜脱不能になり、筒形成部３の両端部を着脱自在に連結することができる。これによって、筒形成部３は６枚の表示シート６が順次折曲自在に連結されて筒状に形成され、筒形成部３が内外逆になるように裏返しても筒状に形成されるようになっている。
【００４３】
第１表示シート６ａの第２表示シート６ｂ側端部の左右両側に、Ｃ字状の切込みｂ５とこの切込みｂ５の中央に位置する直線状の切込みｂ６とがそれぞれ設けられている。第６表示シート６ｆの第５表示シート６ｅ側端部の左右両側にも、同様にＣ字状の切込みｂ５と直線状の切込みｂ６がそれぞれ設けられている。
また、端部シート４は第６表示シート６ｆからの突出長さが表示シート６の突出長さよりもやや短く形成され、端部シート４の外端部の左右両側の角部に、円弧状の切込みｂ７と、この切込みｂ７を両側から挟む一対の折れ線ａ１１とが斜めに横切るようにそれぞれ設けられており、筒形成部３を筒状に巻回して端部シート４を第１表示シート６ａに重合させた際に、図１２に示すように、端部シート４の角部を折れ線ａ１１で折曲しながら切込みｂ７によって形成される係合舌片３４を第１表示シート６ａの切込みｂ５に差し込むことにより、端部シート４を第１表示シート６ａに重合状態に保持できるようになっている。また、端部シート４を折れ線ａ２で折曲して第６表示シート６ｆに重合させ際に、図１２に示すように、係合舌片３４を第６表示シート６ｆの切込みｂ５に差し込むことにより、端部シート４を第６表示シート６ｆに重合状態に保持できるようになっている。その他の点は前記第１実施形態の場合と同様の構成である。
【００４４】
図１３〜図１６は第３実施形態を示し、端部シート４を省略し、カレンダー本体５を６つの表示シート６を有する筒形成部３で構成している。
筒形成部３の一端部に左右方向に長い係合片９が折れ線ａ３を介して突設され、他端部に左右方向に長い係止孔１０を有する連結片３３が折れ線ａ５を介して突設され、係合片９の両端部に折れ線ａ６を介して抜止部３５が突設されており、抜止部３５はその基部から係合片９に対して折れ線ａ６で２つ折りに折曲自在とされている。
【００４５】
而して、左右の抜止部３５を係合片９に対して２つ折りに折曲して、連結片３３の係止孔１０に挿入した後に、抜止部３５を伸長させることにより、係合片９が係止孔１０から抜脱不能になり、筒形成部３の両端部を着脱自在に連結することができる。これによって、筒形成部３は６枚の表示シート６が順次折曲自在に連結されて筒状に形成され、筒形成部３が内外逆になるように裏返しても筒状に形成されるようになっている。
【００４６】
各表示シート６の外面（表面）に１月〜６月までの６ヶ月のカレンダー表示１３が順次印刷され、各表示シート６の内面（裏面）に７月〜１２月までの６ヶ月のカレンダー表示１３が順次印刷されている。
隣り合う表示シート６同士を略面一になる伸長状態に保持する伸長保持手段１４は、隣り合う表示シート６の境界部に設けた切起し片３７で構成され、各切起し片３７に表示シート６の折れ線ａ３に連続する折れ線ａ７が左右方向に形成されると共に、基部に折れ線ａ８が形成されており、切起し片３７は隣り合う表示シート６を伸長状態に保持すべくその基部（折れ線ａ８）で折曲自在とされ、切起し片３７を表示シート６に対して略直角状に内方に折曲することによって、隣り合う表示シート６同士を略面一になる伸長状態に保持するようになっている。また、切起し片３７の折曲を解除して隣り合う表示シート６と面一になるように伸長することにより、隣り合う表示シート６が互いに山折り又は谷折りに折曲自在になり、このときに切起し片３７が折れ線ａ７で隣り合う表示シート６と共に折曲するようになっている。
【００４７】
前記伸長保持手段１４（切起し片３７）は各隣り合う表示シート６間にそれぞれ設けられており、各伸長保持手段１４（切起し片３７）の伸長保持と保持解除との選択によって、前記カレンダー本体５の三角形状の保形がなされるようにしている。即ち、正面部１８の２つの表示シート６間の切起し片３７を表示シート６に対して折れ線ａ８を介して内方に直角状に折曲すると共に、背面部１９の２つの表示シート６間の切起し片３７を表示シート６に対して折れ線ａ８を介して内方に直角状に折曲し、その他の表示シート６間の切起し片３７を表示シート６に沿うように伸長状態にしておくことにより、カレンダー本体５が三角形の筒状に保形される。また、複数の切起し片３７のうち折曲する切起し片３７を順次変更することによって、正面部１８、背面部１９乃至底面部１７を構成する２つの表示シート６を１つずつ順次変更できるようになっている。
【００４８】
底面部１７を２つの表示シート６同士が上方に向けて逆Ｖ字状に折曲した状態に保持する底部保持手段２９は、１枚の厚紙で構成されて底面部１７の下側に配置される設置シート４０を具備し、この設置シート４０の前後両端部に、切込みｂ３と折れ線ａ９と半円形の指掛孔４４とが設けられて、折れ線ａ９で上方に折曲して切り起こされる係止片４１が形成されている。前後の係止片４１間にカレンダー本体５の正面部１８と背面部１９との
下部を挟持させるようにしている。
【００４９】
前記第３実施形態によれば、卓上カレンダー１を机等に設置する場合、カレンダー本体５を今月のカレンダー表示１３がある側が外面になるように筒状に巻回してその両端部を係合片９と係止孔１０とで着脱自在に連結する。その後、今月のカレンダー表示１３が正面部１８の上側になり、来月のカレンダー表示１３が正面部１８の下側になるように、カレンダー本体５を底面部１７と正面部１８と背面部１９とを有する三角形の筒状にする。
【００５０】
次に、正面部１８の２つの表示シート６間の切起し片３７を表示シート６に対して折れ線ａ８を介して内方に直角状に折曲すると共に、背面部１９の２つの表示シート６間の切起し片３７を表示シート６に対して折れ線ａ８を介して内方に直角状に折曲し、これにより、正面部１８及び背面部１９の各２つの表示シート６をそれぞれ略面一に連続させ、カレンダー本体５を三角形の筒状に保形する。
【００５１】
その後、設置シート４０の前後の係止片４１を折り線ａ９を介して上方に折曲して机等に設置する。次に、底面部１７の２つの表示シート６同士が上方に向けて逆Ｖ字状に折曲した状態にし、前後の係止片４１間にカレンダー本体５の正面部１８と背面部１９との下部を挟持させる。すると、底面部１７を２つの表示シート６同士が上方に向けて逆Ｖ字状に折曲した状態に保持され、カレンダー本体５が設置シート４０を介して設置される。
【００５２】
従って、第１実施形態の場合と同様に、２ヶ月に跨るカレンダー表示１３を略面一に上下に連続した状態で見ることが可能になり、カレンダー表示１３が非常に見やすくなるし、机等に安定に設置することができる。しかも、卓上カレンダー１全体の構成部材が少なくなり、製造容易でかつ安価に製造することができる。
図１７〜図２３は、第４実施形態を示している。図２１及び図２２において、筒形成部３の一端部に１つの係合片９が折れ線ａ３を介して突設され、他端部（終端の第６表示シート６ｆと端部シート４との境界部に）に係止孔１０が係合片９に対応して１個設けられ、係合片９の両端縁は、くの字状に屈曲されており、係合片９が係止孔１０に挿入し易くて、挿入後には、係合片９の両端部が係止孔１０の開口縁部に係合して抜け止めするように構成されている。
【００５３】
最終の表示シート６（第６表示シート６ｆ）を除く各表示シート６の外面（表面）に、第１表示シート６ａ〜第５表示シート６ｅに向けて１月〜５月までの５ヶ月のカレンダー表示１３が順次印刷されている。各表示シート６の内面（裏面）に、第６表示シート６ｆ〜第１表示シート６ａに向けて７月〜１２月までの６ヶ月のカレンダー表示１３が順次印刷されている。この７月〜１２月までの６ヶ月のカレンダー表示１３は、１月〜５月までの５ヶ月のカレンダー表示１３に対して上下逆向きに表示（配置）されている。
【００５４】
即ち、カレンダー本体５は、第１表示シート６ａ〜第５表示シート６ｅの外面にそれぞれ１月〜５月のカレンダー表示１３が順次施され、第１表示シート６ａ〜第６表示シート６ｆの内面にそれぞれ１２月〜７月のカレンダー表示１３が逆さに順次施されている。
図示省略しているが、第６表示シート６ｆと端部シート４の外面（表面）に、この卓上カレンダー１の取り扱いや広告等が表示されている。また、端部シート４の内面（裏面）に、６月のカレンダー表示１３が１２月〜７月のカレンダー表示１３と同じ向きに印刷されている。
【００５５】
図１７〜図２０において、前記底部保持手段２９は、底面部１７の表示シート６同士が逆Ｖ字状に折曲すべく表示体本体５の下部を内嵌保持する筒状体５１で構成されている。
前記筒状体５１は、図２３に示すように、ペット（ＰＥＴ）等の透明な合成樹脂により構成した１枚の樹脂シート５３により形成されていて、後壁部５５と一方の側壁部５６と前壁部５７と他方の側壁部５６とを順次一列状に有し、一端部（後壁部５５の外端部）に係止片５９が突設され、他端部（他方の側壁部５６の外端部）に係合片６０が突設されている。前壁部５７に折れ線ｃ１を介して一方の側壁部５６が連結され、前壁部５７に折れ線ｃ２を介して他方の側壁部５６が連結され、後壁部５５に折れ線ｃ３を介して一方の側壁部５６が連結され、後壁部５５に折れ線ｃ４を介して係止片５９が連結され、他方の側壁部５６に折れ線ｃ５を介して係合片６０が連結されている。
【００５６】
前壁部５７及び後壁部５５は、表示シート６の左右幅よりも僅かに長い長方形状に形成
され、側壁部５６は上側が徐々に小幅となる台形状に形成されている。係合片６０は側壁部５６の縦幅よりも短く形成され、後壁部５５と係止片５９との境界部分のやや係止片５９寄りに縦方向の切込みｄが係合片６０に対応する長さに形成され、切込みｄの両端部は後壁部５５側に屈曲されて折れ線ｃ４に連結されている。前壁部５７、後壁部５５及び一対の側壁部５６の高さは、表示シート６の縦方向の幅よりも大に形成されている。
【００５７】
而して、樹脂シート５３を折れ線ｃ１〜ｃ５で折って、係合片６０を切込みｄに差し込んで係止片５９と係合片６０とを着脱自在に連結することにより、図１７〜図２０に示すように、前壁部５７と後壁部５５と左右一対の側壁部５６とを有する筒状体５１が角筒状に組み立てられ、前壁部５７は、正面部１８に対応して前下がりに傾斜され、前記後壁部５５は、背面部１９に対応して後下がりに傾斜されている。
【００５８】
筒状体５１に、正面部１８が前壁部５７に対向し背面部１９が後壁部５５に対向するように表示体本体５の下部が内嵌可能であり、このように表示体本体５の下部を筒状体５１に内嵌することにより、底面部１７の表示シート６同士が逆Ｖ字状に折曲すべく内嵌保持され、筒状体５１が底部保持手段２９を構成するようになっている。また、前記前壁部５７の上部は、正面部１８の２枚の表示シート６の境界部よりも上方突出されて、正面部１８の表示シート６同士を伸長状態に保持する伸長保持手段１４とされている。
【００５９】
表示体本体５の下部を筒状体５１に内嵌すると、前記後壁部５５及び一対の側壁部５６の上部は、前壁部５７の上部に対応して正面部１８の２枚の表示シート６の境界部よりも上方突出され、後壁部５５の上部で背面部１９の表示シート６同士を伸長状態に保持するように構成されている。
前記第４実施形態によれば、卓上カレンダー１を机等に設置する場合、まず、１月になると、図１７及び図１８に示すように、カレンダー本体５の筒形成部３を１月のカレンダー表示１３がある側が外面になるように筒状に巻回し、端部シート４を第６表示シート６ｆの外面に配置して、筒形成部３の両端部を係合片６０９と係止孔１０とで着脱自在に連結する。
【００６０】
その後、１月のカレンダー表示１３が正面部１８の上側になり、２月のカレンダー表示１３が正面部１８の下側になるように、筒形成部３を底面部１７と正面部１８と背面部１９とを有する三角形の筒状にする。
次に、底面部１７を逆Ｖ字状に折曲してカレンダー本体５の下部を筒状体５１に内嵌し、カレンダー本体５をその底面部１７を下にして机等に設置する。
【００６１】
その後、２月〜５月になると、１ヶ月ごとに、カレンダー本体５を筒軸廻りに回転させて、正面部１８、背面部１９乃至底面部１７を構成する２つの表示シート６を１つずつ順次変更して、カレンダー本体５の下部を筒状体５１に内嵌しその底面部１７を下にして机等に設置すればよい。
また、６月になると、図１９に示すように、カレンダー本体５の筒形成部３を７月のカレンダー表示１３がある側が外面になるように筒状に巻回し、端部シート４を第１表示シート６ａの外面に重合配置して、筒形成部３の両端部を係合片９と係止孔１０とで着脱自在に連結する。
【００６２】
その後は、正面部１８の上側に端部シート４（６月のカレンダー表示１３）が位置し下側に第６表示シート６ｆ（７月のカレンダー表示１３）が位置するように、カレンダー本体５（筒形成部３）を三角形の筒状に保形し、底面部１７を逆Ｖ字状に折曲してカレンダー本体５の下部を筒状体５１に内嵌し、その底面部１７を下にして机等に設置すればよく、６月になったときでも、正面部１８の外面の上下に６月のカレンダー表示１３と７月のカレンダー表示１３とが表れる。
【００６３】
その後、７月〜１０月になると、１ヶ月ごとに、カレンダー本体５を筒軸廻りに回転させて、正面部１８、背面部１９乃至底面部１７を構成する２つの表示シート６を１つずつ順次変更して、カレンダー本体５の下部を筒状体５１に内嵌し直し、その底面部１７を下にして机等に設置すればよい。
また、１１月になると、図２０に示すように、カレンダー本体５の筒形成部３を１１月のカレンダー表示１３がある側が外面になるように筒状に巻回し、端部シート４を第１表
示シート６ａの内面に重合配置して、筒形成部３の両端部を係合片９と係止孔１０とで着脱自在に連結する。
【００６４】
その後は、正面部１８の上側に第２表示シート６ｂが位置し下側に第１表示シート６ａが位置するように、カレンダー本体５を三角形の筒状に保形し、カレンダー本体５の底部を筒状体５１に内嵌しその底面部１７を下にして机等に設置すればよく、正面部１８の外面の上下に１１月のカレンダー表示１３と１２月のカレンダー表示１３とが表れる。
また、１２月になると、１１月のカレンダー本体５の設置状態のままして、正面部１８の外面の上下に１１月のカレンダー表示１３と１２月のカレンダー表示１３が表れるようにしておけばよい。
【００６５】
従って、卓上カレンダー１を机等に設置したとき、正面部１８はやや後上がりに傾斜した起立状態になって、正面部１８の上側の表示シート６と下側の表示シート６が略面一になって上下に連続した状態になり、正面部１８の外面の上下に今月のカレンダー表示１３と来月のカレンダー表示１３とが表れるため、２ヶ月に跨るカレンダー表示１３を略面一に上下に連続した状態で見ることが可能になり、カレンダー表示１３が非常に見やすくなり、便利である。
【００６６】
また、第１実施形態の場合と同様に、机等に安定に設置することができるし、スタンド用ケースは不要になって、卓上カレンダー１全体の構成部材が少なくなり、製造容易でかつ安価に製造することができる。
また、第１実施形態の場合と同様に、カレンダー本体５をコンパクトに折り畳むことができ、保管や運搬等に便利であるし、端部シート４の表示によって、この商品が卓上カレンダー１であることを認識させたり、広告や宣伝に使用したりすることができる。
【００６７】
なお、第３実施形態の場合、底部保持手段２９を省略し、底面部１７を伸長保持手段１４（切起し片３７）で２つの隣り合う表示シート６同士を略面一になる伸長状態に保持し、この底面部１７を机等に直接設置するようにしてもよい。
また、第４実施形態の場合、筒状体５１を透明な樹脂シート５３で角筒状に形成しているが、これに代え、筒状体５１を半透明や着色透明の光透過性を有する樹脂シートで構成するようにしてもよいし、光透過性を有するガラスその他で構成するようにしてもよい。筒状体５１を不透明な合成樹脂等で高さの低い筒状に形成し、これにカレンダー本体の下部のカレンダー表示のない部分を内嵌保持するようにしてもよい。
【００６８】
また、前記実施形態では、カレンダー本体５、内嵌部材１５及び設置シート４０を厚紙で構成しているが、これらは、厚紙に限らず、合成樹脂や金属板その他で構成するようにしてもよい。
また、前記実施形態では、本発明の卓上表示体を卓上カレンダーに適用実施しているが、これに代え、卓上表示体として、卓上の漫画や紙芝居、連続写真その他の卓上表示体に適用実施するようにしてもよい。
【００６９】
また、前記第３実施形態では、伸長保持手段１４を、隣り合う表示シート６の境界部に設けた切起し片３７で構成されているが、これに代え、図１４に２点鎖線で示すように、伸長保持手段１４を隣り合う表示シート６の境界部に突設した突出片４７で構成し、突出片４７を隣り合う表示シート６を伸長状態に保持すべくその基端部で折曲自在としてもよい。
【符号の説明】
【００７０】
１      卓上カレンダー
３      筒形成部
４      端部シート
５      カレンダー本体
１３    カレンダー表示
１４    伸長保持手段
１５    内嵌部材
１７    底面部
１８    正面部
１９    背面部
２１    内嵌体
２３    折曲縁部
２４    嵌合頂部
２５    挟持部
２６    挟持溝
２９    底部保持手段
３７    切起し片
４０    設置シート
４１    係止片５９
４７    突出片
５１    筒状体
５３    樹脂シート
５５    後壁部
５６    側壁部
５７    前壁部
【図１】
0006008341.tif 000002
【図２】
0006008341.tif 000003
【図３】
0006008341.tif 000004
【図４】
0006008341.tif 000005
【図５】
0006008341.tif 000006
【図６】
0006008341.tif 000007
【図７】
0006008341.tif 000008
【図８】
0006008341.tif 000009
【図９】
0006008341.tif 000010
【図１０】
0006008341.tif 000011
【図１１】
0006008341.tif 000012
【図１２】
0006008341.tif 000013
【図１３】
0006008341.tif 000014
【図１４】
0006008341.tif 000015
【図１５】
0006008341.tif 000016
【図１６】
0006008341.tif 000017
【図１７】
0006008341.tif 000018
【図１８】
0006008341.tif 000019
【図１９】
0006008341.tif 000020
【図２０】
0006008341.tif 000021
【図２１】
0006008341.tif 000022
【図２２】
0006008341.tif 000023
【図２３】
0006008341.tif 000024